(57)【特許請求の範囲】
【請求項１】
家屋の基礎にアンカーボルトを位置決めして固定するためのアンカーボルト位置決め具であって、前記基礎を形成するため所定間隙を介存せしめて対設される型枠の頂面に設置され、アンカーボルトを挿入する孔を形成した基体に、前記型枠に該基体を固定する固定手段が設けられ、この固定手段として前記基体に垂下され一対の前記型枠を外側から挟持するバネ板を採用し、このバネ板には切り欠き部が設けられていることを特徴とするアンカーボルト位置決め具。
【請求項２】
請求項１記載のアンカーボルト位置決め具において、前記孔位置にアンカーボルトを挿入する筒体が設けられていることを特徴とするアンカーボルト位置決め具。
【請求項３】
請求項２記載のアンカーボルト位置決め具において、前記筒体は予め定められた高さの筒体であることを特徴とするアンカーボルト位置決め具。
【請求項４】
請求項２，３いずれか１項に記載のアンカーボルト位置決め具において、前記筒体には該筒体に挿入されたアンカーボルトを所定の位置に保持する保持手段が設けられていることを特徴とするアンカーボルト位置決め具。
【請求項５】
請求項４記載のアンカーボルト位置決め具において、前記筒体には前記アンカーボルトの保持位置を上下に所定量調整できる調整手段が設けられていることを特徴とするアンカーボルト位置決め具。
【請求項６】
請求請４，５いずれか１項に記載のアンカーボルト位置決め具において、前記保持手段は前記アンカーボルトに形成した螺着部に螺着されるナットと前記筒体の頂面とであり、更に、前記調整手段は前記保持手段の前記ナットであり、前記筒体から上方に突出した前記アンカーボルトの前記螺着部に前記ナットを螺着し、このナットを適当量回動させるとともに、該ナットを筒体の頂面に係止させることで前記アンカーボルトを所定の深さ位置に保持せしめるように構成されていることを特徴とするアンカーボルト位置決め具。
【発明の詳細な説明】
【０００１】
【発明の属する技術分野】
本発明はアンカーボルト位置決め具に関するものである。
【０００２】
【従来の技術及び発明が解決しようとする課題】
従来、家屋の基礎にアンカーボルトを設置する場合には、基礎形成部にコンクリートを打設するために型枠を設置し、型枠内にコンクリートを打設した後、該コンクリート内にアンカーボルトを埋設し、その後、該コンクリートを硬化させている。
【０００３】
しかしながら、前記アンカーボルトの設置方法では、アンカーボルトを所望の位置に精度良く設置することができず、アンカーボルトがコンクリート内に深く入り込み過ぎたり、垂直度が悪く傾いた状態でアンカーボルトがコンクリート内に固定されてしまうような問題が生じる。
【０００４】
本発明は、前記従来の課題を解決するためになされたものであり、基礎にアンカーボルトを高精度に設置できるアンカーボルト位置決め具を提供するものである。
【０００５】
【課題を解決するための手段】
添付図面を参照して本発明の要旨を説明する。
【０００６】
家屋の基礎１にアンカーボルト２を位置決めして固定するためのアンカーボルト位置決め具であって、前記基礎１を形成するため所定間隙を介存せしめて対設される型枠３の頂面に設置され、アンカーボルト２を挿入する孔13を形成した基体７に、前記型枠３に該基体７を固定する固定手段４が設けられ、この固定手段４として前記基体７に垂下され一対の前記型枠３を外側から挟持するバネ板４を採用し、このバネ板４には切り欠き部14が設けられていることを特徴とするアンカーボルト位置決め具に係るものである。
【０００７】
また、請求項１記載のアンカーボルト位置決め具において、前記孔13位置にアンカーボルト２を挿入する筒体６が設けられていることを特徴とするアンカーボルト位置決め具に係るものである。
【０００８】
また、請求項２記載のアンカーボルト位置決め具において、前記筒体６は予め定められた高さの筒体６であることを特徴とするアンカーボルト位置決め具に係るものである。
【０００９】
また、請求項２，３いずれか１項に記載のアンカーボルト位置決め具において、前記筒体６には該筒体６に挿入されたアンカーボルト２を所定の位置に保持する保持手段８が設けられていることを特徴とするアンカーボルト位置決め具に係るものである。
【００１０】
また、請求項４記載のアンカーボルト位置決め具において、前記筒体６には前記アンカーボルト２の保持位置を上下に所定量調整できる調整手段８が設けられていることを特徴とするアンカーボルト位置決め具に係るものである。
【００１１】
また、請求請４，５いずれか１項に記載のアンカーボルト位置決め具において、前記保持手段８は前記アンカーボルト２に形成した螺着部９に螺着されるナット８と前記筒体６の頂面とであり、更に、前記調整手段８は前記保持手段８の前記ナット８であり、前記筒体６から上方に突出した前記アンカーボルト２の前記螺着部９に前記ナット８を螺着し、このナット８を適当量回動させるとともに、該ナット８を筒体６の頂面に係止させることで前記アンカーボルト２を所定の深さ位置に保持せしめるように構成されていることを特徴とするアンカーボルト位置決め具に係るものである。
【００１２】
【発明の作用及び効果】
請求項１においては、型枠３間の間隙にコンクリートを打設し、アンカーボルト２が自重落下しない程度までコンクリートが硬化した後、基体７を型枠３上に設置し、該基体７の孔13にアンカーボルト２を挿入し、アンカーボルト２を例えば手で押し込み若しくは引き上げ、所望の深さに該アンカーボルト２を位置させる。また、固定手段４により基体７は型枠３に固定され、アンカーボルト２はこの基体７の孔13に挿入されているから、該アンカーボルト２は傾いたりせずに垂直に保持され、アンカーボルト２を基礎１となるコンクリート中の所望位置に精度良く設置することができる。
【００１３】
また、本発明は、固定手段４として基体７に垂下され一対の型枠３を外側から挟持するバネ板４を採用したから、この挟持板４で型枠３を両側からバネ力で確実に挟持して基体７を型枠３の頂面に確実に設置固定することができる。
【００１４】
請求項２においては、アンカーボルト２を筒体６に挿入することで基体７の孔13だけの場合に比し、よりアンカーボルト２の垂直度は保持され、アンカーボルト２を基礎１の所望位置により精度良く設置することができる。深さ方向におけるアンカーボルト２の位置に関しては上記請求項１と同様である。
【００１５】
請求項３においては、筒体６に挿入したアンカーボルト２のコンクリートへの深さ方向の押し込みに際してアンカーボルト２の固定位置の目安として筒体６を利用することができる。
【００１６】
請求項４においては、アンカーボルト２を対設される型枠３の間隙内に配設し保持手段８でアンカーボルト２を深さ方向の所定位置に筒体６を目安として保持することで、該アンカーボルト２を深さ方向所定の位置に精度良く設置することができる。この場合には、この保持手段８の存在によりコンクリートの打設をアンカーボルト２の設置後に行うことができる。また、筒体６の存在故にアンカーボルト２の垂直度は確実に保持される。
【００１７】
請求項５においては、調整手段８によりアンカーボルト２の保持位置を調整し、保持手段８でアンカーボルト２を所定の深さ方向位置に保持することができる。従って、アンカーボルト２を深さ方向の所望位置に高精度に設置固定することができる。また、筒体６の存在故にアンカーボルト２の垂直度は確実に保持される。
【００１８】
請求項６においては、筒体６から上方に突出したアンカーボルト２の螺着部９にナット８を螺着し、このナット８を回動させるとともに、該ナット８を筒体６の頂面に係止させることでアンカーボルト２を所定の位置に固定する。従って、アンカーボルト２を深さ方向の所望位置に非常に精度良く設置固定することができる。この場合、アンカーボルト２を所望位置に設置した後においてもナット８を回動させることでアンカーボルト２の深さ方向位置を調整できることはもちろんである。しかも、保持手段８及び調整手段８として螺着部９、ナット８及び筒体６を採用し、非常に簡易かつ容易にアンカーボルト２を所望位置に設置固定できるとともに非常に低コストで製造することができる。また、筒体６の存在故にアンカーボルト２の垂直度は確実に保持される。
【００１９】
【発明の実施の形態】
本発明の一実施例に係るアンカーボルト位置決め具ついて以下図面に基づき説明する。
【００２０】
本実施例は、図１に図示したように、家屋の基礎１にアンカーボルト２を位置決めして固定するためのアンカーボルト位置決め具である。
【００２１】
本実施例のアンカーボルト位置決め具は、図１〜図３に図示したように、基礎１を形成するため所定間隙を介存せしめて対設される型枠３を各々外側から挟むバネ板４（固定手段４，挟持板４）を連結板５の両端に形成したバネ部材10を設け、このバネ部材10の上面に、板状の基体７を溶接などにより接合し、基体７上にアンカーボルト２を所望位置に設置できるように、アンカーボルト２を挿入するための筒体６を溶接などにより接合する。尚、筒体６は基体７と別体に、即ち、基体７に付設されなくても良い。
【００２２】
バネ部材10と基体７と筒体６との接合においては、筒体６のアンカーボルト２を挿入する内孔11と略同径の孔13及び孔12を各々基体７及び連結板５に設け、内孔11と孔13及び孔12とが連設するように筒体６と基体７及びバネ部材10とを接合する。
【００２３】
バネ部材10のバネ板４は、該バネ板４で型枠３を精度良く安定して押圧できるように中央に切り欠き部14を設けている。
【００２４】
尚、基体７にバネ板４を直接設け、バネ部材10は用いない構成にしてもよい。
【００２５】
次に、前記アンカーボルト位置決め具を用いてアンカーボルト２を設置する方法について説明する。
【００２６】
アンカーボルト２を設置する方法は、家屋の基礎形成部にコンクリートを打設した後アンカーボルト２を設置する方法と、コンクリートを打設する前にアンカーボルト２を設置する方法の二通りの方法があり、以下説明する。
【００２７】
まず、基礎形成部にコンクリートを打設した後に、アンカーボルト２を設置する場合について説明すると、コンクリートを打設してコンクリートが硬化する前に該コンクリートにアンカーボルト２を挿入し、前記アンカーボルト位置決め具を型枠３の頂面に載置してバネ板４で型枠３の外側を挟むとともに、アンカーボルト２の螺着部９の先端を筒体６に挿入し、筒体６の先端からアンカーボルト２を突出させ、この突出したアンカーボルト２の螺着部９にナット８を適宜アンカーボルト２の基体７からの突出長を考慮しながら螺着することでアンカーボルト２を所定の位置に設置し、ナット８を回動させて微調整し、コンクリートを硬化させる。
【００２８】
次に、基礎形成部にコンクリートを打設する前にアンカーボルト２を設置する場合について説明すると、アンカーボルト位置決め具の筒体６にアンカーボルト２の螺着部９の先端を挿入し、筒体６の先端から突出させたアンカーボルト２の螺着部９の先端に、アンカーボルト２の基体７からの突出量を考慮してナット８を螺着し、基礎形成部の両側面に設置した型枠３の外側をバネ板４が両側から挟むようにして型枠３の頂面に基体７を載置し、更に、ナット８を回動させて微調整した後、基礎形成部にコンクリートを打設してコンクリートを硬化させ、アンカーボルト２を基礎１の所望の位置に固定する。
【００２９】
本実施例は、以上のようにして使用するもので、アンカーボルト２を基礎１の所望深さ位置に垂直度良好に精度良く設置することができる。
【図面の簡単な説明】
【図１】  本発明の一実施例に係るアンカーボルト位置決め具の使用状態を示す断面図である。
【図２】  本発明の一実施例に係るアンカーボルト位置決め具を示す平面図である。
【図３】  本発明の一実施例に係るアンカーボルト位置決め具を示す正面図である。
【符号の説明】
１  基礎
２  アンカーボルト
３  型枠
４  バネ板，固定手段，挟持板
６  筒体
７  基体
８  ナット，保持手段，調整手段
９  螺着部
13  孔
14 切り欠き部
【図１】
0003787221.tif 000002
【図２】
0003787221.tif 000003
【図３】
0003787221.tif 000004